(57)【要約】【課題】簡単な操作で機器を機器支持装置に固定したり該装置から取り外したりできるようにする。【解決手段】搭載面３ａから突出している第２フック部材５に機器Ａの被係合部を引っ掛けた後、第１フック部材４を移動させて機器Ａに係合させる。そして、ロック操作部６２及びロック部６１により第１フック部材４をロックすると、機器Ａはこれらのフック部材４，５により搭載面３ａに固定されることとなる。また、ロック操作部６２を操作してロック部６１のロックを解除すると、機器Ａを搭載面３ａから取り外すことができる。【選択図】図１
2011024707.tif 000002
【特許請求の範囲】
【請求項１】
機器を着脱可能な状態で支持するための機器支持装置において、
機器を搭載するための搭載面が形成されてなる装置本体と、
該搭載面に搭載された機器に係合されるように該搭載面から突出されてなる第１及び第２フック部材と、
該第１フック部材を移動可能に支持することにより機器が着脱可能となるように構成するフック支持装置と、
を備え、
該フック支持装置は、
前記第２フック部材に近づく方向である第１の方向に移動可能となるように前記装置本体に支持されてなる移動ベース部と、
該移動ベース部の移動を適宜ロックするためのロック部と、
該ロック部をオン・オフするためのロック操作部と、
前記移動ベース部に配置されると共に、前記第１フック部材を前記第１の方向へ移動可能となるように支持するガイド部と、
前記移動ベース部に配置されると共に、前記第１フック部材を前記第１の方向へ付勢する付勢部と、
を有する、
ことを特徴とする機器支持装置。
【請求項２】
前記ロック部は、プッシュラッチ方式であり、
前記ロック操作部は、前記移動ベース部に連結されるように形成された、
ことを特徴とする請求項１に記載の機器支持装置。
【発明の詳細な説明】
【技術分野】
【０００１】
本発明は、超音波診断装置等の機器を着脱可能な状態で支持する機器支持装置に関する。
【背景技術】
【０００２】
従来、機器を着脱可能な状態で支持する機器支持装置は、様々な分野で使用されている。以下、超音波診断装置を支持する機器支持装置を例にして説明する。
【０００３】
医療の分野では超音波を使って様々な診断をするようにした機器（本明細書においては“超音波診断装置”とする）が提案されている（例えば、特許文献１参照）。
【０００４】
この超音波診断装置も、近年は小型化が進められており、いわゆるラップトップ型と呼ばれるようなタイプのものまで実用化されている。なお、小型の超音波診断装置であっても、超音波診断に際してはプローブ等の小物類やカルテ等を使用しなければならないため、それらを搭載できるような台車が提案されている（例えば、特許文献２参照。）。
【０００５】
図４は、そのような小型の超音波診断装置を搭載するための台車の従来構成の一例を示す斜視図であり、符号１００は、超音波診断装置を載置するための載置面を示し、符号１０１は、小物類を収納するためのケースを示し、符号１０２は、超音波診断装置の載置位置を示す。このような台車を用いた場合には、超音波診断に必要な物の全てを超音波診断装置と共に搭載することができるので、便利である。また、超音波診断装置は台車に載置されているだけなので、必要な時（例えば、往診や出張診断の際）には超音波診断装置を台車から取り外して持ち歩くこともできる。
【先行技術文献】
【特許文献】
【０００６】
【特許文献１】特開２００１−３７７５５号公報
【特許文献２】意匠登録第１０６７８９４号公報
【発明の概要】
【発明が解決しようとする課題】
【０００７】
しかしながら、図４に示す機器支持装置では、超音波診断装置は台車に載置されているだけであるので、台車から落下してしまうおそれがあった。
【０００８】
本発明は、上述の問題を解消することのできる機器支持装置を提供することを目的とするものである。
【課題を解決するための手段】
【０００９】
請求項１に係る発明は、図１及び図２に例示するものであって、機器（Ａ）を着脱可能な状態で支持するための機器支持装置（１）において、
機器（Ａ）を搭載するための搭載面（３ａ）が形成されてなる装置本体（３）と、
該搭載面（３ａ）に搭載された機器（Ａ）に係合されるように該搭載面（３ａ）から突出されてなる第１及び第２フック部材（４，５）と、
該第１フック部材（４）を移動可能に支持することにより機器（Ａ）が着脱可能となるように構成するフック支持装置（６）と、
を備え、
該フック支持装置（６）は、
前記第２フック部材（５）に近づく方向である第１の方向（Ｂ）に移動可能となるように前記装置本体（３）に支持されてなる移動ベース部（６０）と、
該移動ベース部（６０）の移動を適宜ロックするためのロック部（６１）と、
該ロック部（６１）をオン・オフするためのロック操作部（６２）と、
前記移動ベース部（６０）に配置されると共に、前記第１フック部材（４）を前記第１の方向（Ｂ）へ移動可能となるように支持するガイド部（６３）と、
前記移動ベース部（６０）に配置されると共に、前記第１フック部材（４）を前記第１の方向（Ｂ）へ付勢する付勢部（６４）と、を有することを特徴とする。
【００１０】
請求項２に係る発明は、請求項１に係る発明において、前記ロック部（６１）がプッシュラッチ方式であり、
前記ロック操作部（６２）が、前記移動ベース部（６０）に連結されるように形成されたことを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１及び２に係る発明によれば、機器はフック部材で台車本体に固定されているので、落下を防止することができる。また、ロック操作部等を操作するだけで機器を台車本体から簡単に取り外すことができる。
【図面の簡単な説明】
【００１３】
【図１】図１は、本発明に係る機器支持装置の詳細構成の一例を示す拡大断面図である。
【図２】図２は、本発明に係る機器支持装置の全体構成の一例を示す側面図である。
【図３】図３(a) は、第１フック部材の周辺の構造の一例を示す斜視図であり、同図(b)は、同じく第１フック部材の周辺の構造の一例を示す斜視図である。
【図４】図４は、従来の機器支持装置の全体構成の一例を示す斜視図である。
【発明を実施するための形態】
【００１４】
以下、図１乃至図３に沿って、本発明の実施の形態について説明する。
【００１５】
本発明に係る機器支持装置は、図２に符号１で例示するものであって、超音波診断装置等の機器Ａを着脱可能な状態で支持するための装置である。なお、図２に示す機器支持装置１は、キャスター２が取り付けられていて移動可能な台車として構成されているが、もちろんこれに限られるものではなく、キャスターを取り付けない単なる台としても良い。
【００１６】
この機器支持装置１の装置本体３には、機器Ａを搭載するための搭載面３ａが形成されており、該搭載面３ａからは、図１に詳示するように少なくとも２本のフック部材４，５が突出され、該搭載面３ａに搭載された機器Ａに係合されるように構成されている（詳細は後述する）。これら２本のフック部材４，５の内の少なくとも１本（以下、“第１フック部材”とする）４はフック支持装置６により移動可能に支持されていて、機器Ａが着脱可能となるように構成されている。そして、このフック支持装置６は、図１及び図３に詳示するように、
・  他方のフック部材（以下、“第２フック部材”とする）５に近づく方向（以下、“第１の方向”とする）Ｂに移動可能となるように前記装置本体３に支持されている移動ベース部６０と、
・  該移動ベース部６０の移動を適宜ロックするためのロック部６１と、
・  該ロック部６１をオン・オフするためのロック操作部６２と、
・  前記移動ベース部６０に配置されると共に、前記第１フック部材４を前記第１の方向Ｂへ移動可能となるように支持するガイド部６３と、
・  前記第１フック部材４を前記第１の方向Ｂへ付勢するように前記移動ベース部６０に配置されてなる付勢部６４と、
を少なくとも有している。ここで、上述のロック操作部６２は、移動ベース部６０に一体的に連結されるようにすると良い。
【００１７】
いま、ユーザが前記移動ベース部６０を所定位置（つまり、該第１フック部材４が機器Ａの被係合部に係合される位置）まで移動させると共に前記ロック部６１を操作して該移動ベース部６０を該所定位置に固定すると、前記付勢部６４は前記第１フック部材４を前記第１の方向Ｂへ付勢する。これにより、機器Ａは装置本体３に固定される。
【００１８】
ところで、上述のロック部６１はプッシュラッチ方式にするとよい。その場合、前記移動ベース部６０を前記第１の方向Ｂへ移動させようとすると、前記ロック部６１はその移動は許容するが、該移動ベース部６０の前記第１の方向Ｂへの移動を止めてもラッチ機構により該移動ベース部６０が逆方向（前記第１の方向Ｂとは逆の方向）Ｃへ戻ることは阻止される。
【００１９】
なお、図１及び図２に示す搭載面３ａは、台車本体３の上面であるが、上面以外の面（例えば、台車本体３の側面等）を搭載面として機器Ａを装着するようにしても良い。また、機器Ａの装着時の操作性を考えると一方のフック部材（つまり、第１フック部材４）のみを移動可能とし他方のフック部材（つまり、第２フック部材５）を固定しておいた方が良いが、両方のフック部材４，５が移動可能に構成されたものを本発明の範囲から除外するものでは無い。
【００２０】
本発明によれば、機器Ａはフック部材４，５で台車本体３に固定されているので、落下を防止することができる。また、ロック操作部６２等を操作するだけで機器Ａを台車本体３から簡単に取り外すことができる。
【符号の説明】
【００２１】
１          機器支持装置
３          装置本体
３ａ        搭載面
４          第１フック部材
５          第２フック部材
６          フック支持装置
６０        移動ベース部
６１        ロック部
６２        ロック操作部
６３        ガイド部
６４        付勢部
Ａ          機器
Ｂ          第１の方向
【図１】
2011024707.tif 000003
【図２】
2011024707.tif 000004
【図３】
2011024707.tif 000005
【図４】
2011024707.tif 000006